(57)【要約】【課題】作業者が上部旋回体に上ることなく、防塵ネットの着脱を行うことができる建設機械の防塵ネットの取り付け装置又は熱交換装置を提供すること。【解決手段】第１冷却器と該第１冷却器の冷却風の流れ方向の上流側に着脱可能に設けられた防塵ネットと該防塵ネットの前記流れ方向の上流側に設けられた第２冷却器及び第３冷却器とを有し、第１の防塵ネットの取り付け時に、該第１の防塵ネットを挿入する方向に案内する第１の案内ガイドと、第２の防塵ネットの取り付け時に、該第２の防塵ネットを挿入する方向に案内する第２の案内ガイドとを備え、第１の案内ガイドは、前記第１冷却器と前記第２冷却器との間に配置され、該第１冷却器又は該第２冷却器に取り付けられ、第２の案内ガイドは、前記第１冷却器と前記第３冷却器との間に配置され、該第１冷却器又は該第３冷却器に取り付けられる、ことを特徴とする。【選択図】図２
2014084050.tif 000002
【特許請求の範囲】
【請求項１】
第１冷却器と該第１冷却器の冷却風の流れ方向の上流側に着脱可能に設けられた防塵ネットと該防塵ネットの前記流れ方向の上流側に設けられた第２冷却器及び第３冷却器とを有する建設機械に用いる防塵ネットの取り付け装置であって、
第１の防塵ネットの取り付け時に、該第１の防塵ネットを挿入する方向に案内する第１の案内ガイドと、
第２の防塵ネットの取り付け時に、該第２の防塵ネットを挿入する方向に案内する第２の案内ガイドと
を備え、
前記第１の案内ガイドは、前記第１冷却器と前記第２冷却器との間に配置され、該第１冷却器又は該第２冷却器に取り付けられ、
前記第２の案内ガイドは、前記第１冷却器と前記第３冷却器との間に配置され、該第１冷却器又は該第３冷却器に取り付けられる、
ことを特徴とする建設機械の防塵ネットの取り付け装置。
【請求項２】
前記第１の案内ガイドは、前記第１冷却器に取り付けられた場合に該第１の案内ガイドと該第１冷却器との間隙に前記第１の防塵ネットを挿入する方向に延びる空間を形成し、前記第２冷却器に取り付けられた場合に該第１の案内ガイドと該第２冷却器との間隙に前記第１の防塵ネットを挿入する方向に延びる空間を形成し、
前記第２の案内ガイドは、前記第１冷却器に取り付けられた場合に該第２の案内ガイドと該第１冷却器との間隙に前記第２の防塵ネットを挿入する方向に延びる空間を形成し、前記第３冷却器に取り付けられた場合に該第２の案内ガイドと該第３冷却器との間隙に前記第３の防塵ネットを挿入する方向に延びる空間を形成する、
ことを特徴とする請求項１に記載の建設機械の防塵ネットの取り付け装置。
【請求項３】
前記第１の案内ガイドの下方に配置された第３の案内ガイドを更に有し、
前記第３の案内ガイドは、前記第１の防塵ネットの取り付け時に該第１の防塵ネットが挿入方向に移動することを制限する、
ことを特徴とする、請求項１又は請求項２に記載の建設機械の防塵ネットの取り付け装置。
【請求項４】
前記第２冷却器と前記第３冷却器との間隙に配置された第４の案内ガイドを更に有し、
前記第４の案内ガイドは、前記第１の防塵ネットの取り付け時に、該第１の防塵ネットを前記第１の案内ガイドに挿入する方向に案内する、
ことを特徴とする、請求項１乃至請求項３のいずれか一項に記載の建設機械の防塵ネットの取り付け装置。
【請求項５】
請求項１乃至４のいずれか一項に記載の防塵ネットの取り付け装置と、
前記第１冷却器、前記第２冷却器及び前記第３冷却器とを含む、建設機械の熱交換装置であって、
前記第１冷却器はラジエータであり、前記第２冷却器はインタークーラであり、前記第３冷却器は燃料クーラである、
ことを特徴とする建設機械の熱交換装置。
【発明の詳細な説明】
【技術分野】
【０００１】
本発明は、建設機械の防塵ネットの取り付け装置及びその取り付け装置を含む熱交換装置に関する。
【背景技術】
【０００２】
油圧ショベル等の建設機械には、自走可能な下部走行体、下部走行体上に旋回可能に設けられた上部旋回体及び上部旋回体に駆動可能に設けられた作業装置等を有するものがある。上部旋回体は、例えば、ベースとなる旋回フレームと、旋回フレーム上に設けられた運転席を覆うキャブと、旋回フレーム上に設けられたエンジン等を収容する外装カバー等とによって構成される。
【０００３】
旋回フレーム上のエンジン近傍に設けられた熱交換装置は、例えばラジエータ、オイルクーラ、インタークーラ及び燃料クーラ等の各種冷却器を備える。また、熱交換装置には、コンパクト化を図るため、ラジエータにオイルクーラを組み込むもの（いわゆるラジエータユニット）がある。
【０００４】
建設機械では、ラジエータユニット（ラジエータ及びオイルクーラ）の形状が大きいため、配管及びホース等の配線を考慮して、ラジエータユニットをエンジンに近い位置に配設する。これに対し、ラジエータ等に比べて小さいインタークーラ及び燃料クーラは、ラジエータユニットの例えば前方（冷風の上流側）に配置される。
【０００５】
一方、建設機械の防塵ネットは、熱交換装置（熱交換器）に供給される冷風中に混入した塵埃を捕捉する。これにより、防塵ネットは、これら塵埃がラジエータやオイルクーラ等に付着するのを防止する。防塵ネットは、塵埃がコアのフィンピッチの細かい例えばラジエータユニットに多く付着するため、ラジエータユニットの前方でインタークーラ及び燃料クーラの後方に配置される（例えば特許文献１）。
【先行技術文献】
【特許文献】
【０００６】
【特許文献１】特開２００９−０９６２３５号公報
【発明の概要】
【発明が解決しようとする課題】
【０００７】
建設機械の防塵ネットは、作業者によって、捕捉した塵埃を定期的に洗浄される。このため、防塵ネットは、ラジエータユニットに着脱可能に取り付けられる。
【０００８】
しかしながら、特許文献１に開示されている技術では、ラジエータユニットの前方にインタークーラ及び燃料クーラが配設されているため、防塵ネットをラジエータユニットから着脱する際に、ラジエータユニットの上部から防塵ネットを差し込む又は引き抜く必要があった。すなわち、着脱作業時に、作業者は上部旋回体の上面に上り、エンジンフードを開いて、ラジエータユニットの上部から防塵ネットを着脱する必要があった。このため、建設機械では、防塵ネットの着脱作業時に、時間を要する場合があった。また、建設機械では、防塵ネットの着脱作業時に、防塵ネットの位置決め又は固定に時間を要する場合があった。
【０００９】
本発明は、このような事情の下に為され、建設機械の防塵ネットの取り付け装置又は熱交換装置であって、作業者が上部旋回体に上ることなく（いわゆるグランドアクセスで）、防塵ネットの着脱を行うことができる取り付け装置又は熱交換装置を提供することを課題とする。
【課題を解決するための手段】
【００１０】
本発明の一の態様によれば、第１冷却器と該第１冷却器の冷却風の流れ方向の上流側に着脱可能に設けられた防塵ネットと該防塵ネットの前記流れ方向の上流側に設けられた第２冷却器及び第３冷却器とを有する建設機械に用いる防塵ネットの取り付け装置であって、第１の防塵ネットの取り付け時に、該第１の防塵ネットを挿入する方向に案内する第１の案内ガイドと、第２の防塵ネットの取り付け時に、該第２の防塵ネットを挿入する方向に案内する第２の案内ガイドとを備え、前記第１の案内ガイドは、前記第１冷却器と前記第２冷却器との間に配置され、該第１冷却器又は該第２冷却器に取り付けられ、前記第２の案内ガイドは、前記第１冷却器と前記第３冷却器との間に配置され、該第１冷却器又は該第３冷却器に取り付けられる、ことを特徴とする建設機械の防塵ネットの取り付け装置が提供される。また、前記第１の案内ガイドは、前記第１冷却器に取り付けられた場合に該第１の案内ガイドと該第１冷却器との間隙に前記第１の防塵ネットを挿入する方向に延びる空間を形成し、前記第２冷却器に取り付けられた場合に該第１の案内ガイドと該第２冷却器との間隙に前記第１の防塵ネットを挿入する方向に延びる空間を形成し、前記第２の案内ガイドは、前記第１冷却器に取り付けられた場合に該第２の案内ガイドと該第１冷却器との間隙に前記第２の防塵ネットを挿入する方向に延びる空間を形成し、前記第３冷却器に取り付けられた場合に該第２の案内ガイドと該第３冷却器との間隙に前記第３の防塵ネットを挿入する方向に延びる空間を形成する、ことを特徴とする建設機械の防塵ネットの取り付け装置であってもよい。また、前記第１の案内ガイドの下方に配置された第３の案内ガイドを更に有し、前記第３の案内ガイドは、前記第１の防塵ネットの取り付け時に該第１の防塵ネットが挿入方向に移動することを制限する、ことを特徴とする、建設機械の防塵ネットの取り付け装置であってもよい。また、前記第２冷却器と前記第３冷却器との間隙に配置された第４の案内ガイドを更に有し、前記第４の案内ガイドは、前記第１の防塵ネットの取り付け時に、該第１の防塵ネットを前記第１の案内ガイドに挿入する方向に案内する、ことを特徴とする、建設機械の防塵ネットの取り付け装置であってもよい。
【００１１】
また、本発明の他の態様によれば、上記のいずれかの防塵ネットの取り付け装置と、前記第１冷却器、前記第２冷却器及び前記第３冷却器とを含む、建設機械の熱交換装置であって、前記第１冷却器はラジエータであり、前記第２冷却器はインタークーラであり、前記第３冷却器は燃料クーラである、ことを特徴とする建設機械の熱交換装置が提供される。
【発明の効果】
【００１２】
本発明に係る建設機械の防塵ネットの取り付け装置又は熱交換装置によれば、作業者が上部旋回体に上ることなく、防塵ネットの着脱を行うことができる。
【図面の簡単な説明】
【００１３】
【図１】本発明の一実施形態に係る防塵ネットの取り付け装置を用いる建設機械の一例を示す概略外観図である。
【図２】本発明の一実施形態に係る防塵ネットの取り付け装置を用いる建設機械の熱交換装置近傍の一例を示す概略断面図である。
【図３】本発明の一実施形態に係る防塵ネットの取り付け装置を配置した建設機械の熱交換装置の一例を示す正面図である。
【図４】本発明の一実施形態に係る防塵ネットの取り付け装置に用いる防塵ネットの一例を示す正面図である。
【図５】本発明の一実施形態に係る防塵ネットの取り付け装置の第１の案内ガイドを説明する図である。
【図６】本発明の一実施形態に係る防塵ネットの取り付け装置の第２の案内ガイドを説明する図である。
【図７】本発明の一実施形態に係る防塵ネットの取り付け装置の第３の案内ガイドを説明する図である。
【図８】本発明の一実施形態に係る防塵ネットの取り付け装置の防塵ネットの着脱動作の一例を説明する図である。
【発明を実施するための形態】
【００１４】
添付の図面を参照しながら、本発明の限定的でない例示の一実施形態について説明する。なお、添付の全図面の中の記載で、同一又は対応する部材又は部品には、同一又は対応する参照符号を付し、重複する説明を省略する。また、図面は、部材もしくは部品間の相対比を示すことを目的としない。したがって、具体的な寸法は、以下の限定的でない実施形態に照らし、当業者により決定することができる。
【００１５】
以後に、本実施形態に係る建設機械の防塵ネット３５を取り付ける装置（案内ガイド３６Ａ〜３６Ｅ）を用いて、以下の順序で、本発明を説明する。
【００１６】
１．建設機械の構成
２．防塵ネットの例
３．防塵ネットの取り付け装置
４．防塵ネットの脱着動作
なお、本発明は、本実施形態以外でも、熱交換装置（熱交換器）を備える建設機械であって、熱交換装置に供給される冷風中に混入した塵埃を捕捉するネットを用いるものであれば、いずれのものにも用いることができる。また、本発明を用いることができる建設機械には、油圧ショベル、クレーン車、ブルドーザ、ホイールローダ及びダンプトラック、並びに、杭打ち機、杭抜き機、ウォータージェット、泥排水処理設備、グラウトミキサ、深礎工用機械及びせん孔機械などが含まれる。
【００１７】
（１．建設機械の構成）
本発明を用いることができる建設機械の概略構成を、図１乃至図３を用いて説明する。なお、本実施形態では、建設機械として油圧ショベル１を例に挙げて説明する。
【００１８】
図１に示すように、油圧ショベル１は、大略すると自走可能なクローラ式の下部走行体２と、この下部走行体２上に旋回可能に搭載された上部旋回体３等とを有する。また、上部旋回体３の前部に、作業アタッチメント４が設けられている。
【００１９】
作業アタッチメント４は、ブーム６、アーム９及びバケット１０を備える。ブーム６は、旋回フレーム５に駆動可能（俯仰動可能）に取り付けられている。アーム９は、ブーム６の先端側に回動可能に取り付けられている。また、バケット１０は、アーム９の先端側に回動可能に取り付けられている。
【００２０】
ブームシリンダ１２は、旋回フレーム５とブーム６との間に配設されている。建設機械は、ブームシリンダ１２の伸縮動作を用いて、ブーム６を駆動する。アームシリンダ１３は、ブーム６とアーム９との間に配設されている。また、バケットシリンダ１４は、バケット１０とアーム９との間に配設されている。建設機械は、ブーム６と同様に、アームシリンダ１３及びバケットシリンダ１４を用いて、アーム９及びバケット１０を駆動する。
【００２１】
上部旋回体３は、旋回機構１６を介して、下部走行体２上に旋回可能に搭載されている。上部旋回体３には、旋回フレーム５、キャブ８、エンジン室１７が設けられている。
【００２２】
キャブ８は、旋回フレーム５上に設けられている。キャブ８は、その内部には運転席を備える。作業者（オペレータ、操縦者、機械管理者）は、キャブ８内の運転席に着座し、油圧ショベル１の運転操作を行う。
【００２３】
図２に示すように、エンジン室１７は、エンジンフード１７ａ、外装カバー１８及びサイドドア１９等によって囲まれた空間である。エンジン室１７の内部には、エンジン２０、油圧ポンプ２７及び熱交換装置３０等が配設されている。
【００２４】
エンジンフード１７ａは、本実施形態では、外装カバー１８に対して上方に開く。また、サイドドア１９は、外装カバー１８に対して側方に開く。
【００２５】
エンジン２０は、旋回フレーム５に配設されたエンジン取り付け座２１の上部に、マウント２２を介して支持されている。エンジン２０のＸ１方向側（図中左側）には、冷却ファン２３が配設されている。また、冷却ファン２３のＸ１方向側には、熱交換装置３０が配設されている。
【００２６】
冷却ファン２３は、本実施形態では、エンジン２０の動力を用いて回転駆動される。なお、エンジン２０に代えて、油圧モータや電動モータを用いて回転駆動してもよい。
【００２７】
建設機械は、冷却ファン２３を回転することよって、外気を冷却風（冷風）として、エンジン室１７に取り込む。熱交換装置３０は、エンジン室１７に取り込まれた冷却風を用いて、エンジン室１７内を冷却する。
【００２８】
冷却風は、図２においては、右側に向け流れる。すなわち、図中矢印Ｘ１方向側が、冷却風の上流側となる。また、図中矢印Ｘ２方向が、冷却風の下流側となる。
【００２９】
油圧ポンプ２７は、エンジン２０の冷却ファン２３が配設された側と反対側（冷却風の下流側）に配設されている。油圧ポンプ２７は、作業アタッチメント４を駆動するブームシリンダ１２、アームシリンダ１３及びバケットシリンダ１４等の油圧源である。建設機械は、エンジン２０の動力を用いて、油圧ポンプ２７を駆動する。
【００３０】
図２及び図３に示すように、熱交換装置３０は、ラジエータユニット３１（請求項に記載の「第１冷却器」に相当する。）、インタークーラ３２（請求項に記載の「第２冷却器」に相当する。）、燃料クーラ３３（請求項に記載の「第３冷却器」に相当する。）、防塵ネット３５（本実施形態では３５Ａ〜３５Ｃ）及びエアコン用コンデンサ（不図示）等を有する。
【００３１】
ラジエータユニット３１は、本実施形態では、エンジン２０内を流れる冷却水を冷却するラジエータと、油圧機器（ブームシリンダ１２、アームシリンダ１３、バケットシリンダ１４等）の作動油を冷却するオイルクーラとをユニット化したものである。インタークーラ３２は、エンジン２０に供給される過給空気を冷却する。燃料クーラ３３は、燃料を冷却する。
【００３２】
ラジエータユニット３１は、他のクーラ３２，３３に比べて大きな形状を有する。このため、建設機械では、レイアウト上（例えば配管及びホース等の配線）の制約から、冷却ファン２３に近い位置にラジエータユニット３１を設けている。すなわち、ラジエータユニット３１は、サイドドア１９から離間した位置に配設される。
【００３３】
一方、ラジエータユニット３１に対して、インタークーラ３２及び燃料クーラ３３の形状は小さい。このため、本実施形態に係る建設機械（熱交換装置３０）は、ラジエータユニット３１に比べて小さい冷却容量のインタークーラ３２及び燃料クーラ３３を用いることができる。また、建設機械（熱交換装置３０）は、コンパクト化を図るため、インタークーラ３２及び燃料クーラ３３をラジエータユニット３１の冷却風の流れ方向に対して上流側（図中の矢印Ｘ１方向側）に配設することができる。
【００３４】
インタークーラ３２は、本実施形態では、取り付けフレーム４０を用いて、ラジエータユニット３１の下部（矢印Ｚ２方向側）に固定されている。また、燃料クーラ３３は、取り付けフレーム４１を用いて、ラジエータユニット３１の上部（矢印Ｚ２方向側）に固定されている。なお、図示しないエアコン用コンデンサは、インタークーラ３２の冷却風の流れ方向に対する上流側に配設することができる。
【００３５】
本実施形態に係る建設機械（熱交換装置３０）は、ラジエータユニット３１とインタークーラ３２及び燃料クーラ３３とを離間して配置することによって、ラジエータユニット３１とインタークーラ３２等との間に防塵ネット３５を収納する収納空間部３７Ａを形成する。また、本実施形態に係る建設機械（熱交換装置３０）は、インタークーラ３２と燃料クーラ３３とを離間して配置することによって、インタークーラ３２と燃料クーラ３３との間に着脱時に防塵ネット３５を挿入（供給）する着脱空間部３７Ｂを形成する。
【００３６】
ここで、収納空間部３７Ａの幅（図２の矢印Ｗ３で示す距離）及び着脱空間部３７Ｂの高さ（図３の矢印Ｗ１で示す距離）は、防塵ネット（例えば後述する図４の分割防塵ネット３５Ａ〜３５Ｃの高さ寸法Ｗ２）及び後述する取り付け装置（案内ガイド３６Ａ〜３６Ｅ）等に基づいて設定することができる。また、収納空間部３７Ａの幅（図２の矢印Ｗ３で示す距離）及び着脱空間部３７Ｂの高さ（図３の矢印Ｗ１で示す距離）は、熱交換装置３０又はその他建設機械の仕様に基づいて設定することができる。
【００３７】
防塵ネット３５は、冷却風と共にエンジン室１７内に流入する塵埃がラジエータユニット３１に付着することを防止するものである。前記のように、ラジエータユニット３１は大きな形状であり、受風面積が広い。このため、ラジエータユニット３１は、塵埃を付着され易い。また、ラジエータユニット３１は、冷却ファン２３に近い位置に設けられ、サイドドア１９から離間している。このため、ラジエータユニット３１は、他のクーラ３２，３３と異なり、付着した塵埃を直接除去（クリーニング）するのは困難である。
【００３８】
本実施形態に係る防塵ネット３５は、図２に示すように、ラジエータユニット３１の冷却風の流れ方向に対して上流側で、且つ、インタークーラ３２及び燃料クーラ３３の冷却風の流れ方向に対して下流側（以下、「収納空間部３７Ａ」という。）に配設（収納）される。すなわち、防塵ネット３５は、ラジエータユニット３１と他のクーラ３２，３３との間に配設される。
【００３９】
防塵ネット３５は、後述する建設機械の防塵ネットの取り付け装置（以下、単に「取り付け装置３６」という。）を用いて、収納空間部３７Ａ及び着脱空間部３７Ｂに挿入される。また、防塵ネット３５は、取り付け装置３６を用いて、収納空間部３７Ａに取り付けられる。更に、防塵ネット３５は、取り付け装置３６を用いて、収納空間部３７Ａに固定されてもよい。
【００４０】
なお、防塵ネット３５の詳細は、後述する（２．防塵ネットの例）で説明する。
【００４１】
取り付け装置３６は、防塵ネット３５の取り付け時に、防塵ネット３５を案内する装置である。また、取り付け装置３６は、防塵ネット３５の取り付け後の固定時に、防塵ネット３５を固定する装置である。取り付け装置３６は、本実施形態では、第１の案内ガイド３６Ａ、第２の案内ガイド３６Ｂ、第３の案内ガイド３６Ｃ、第４の案内ガイド３６Ｄ及び第５の案内ガイド３６Ｅを備える。なお、取り付け装置３６の構成及び動作の詳細は、後述する（３．防塵ネットの取り付け装置）及び（４．防塵ネットの脱着動作）で説明する。
【００４２】
（２．防塵ネットの例）
図４に、本実施形態に係る防塵ネットの取り付け装置（後述）に用いる防塵ネットの一例を示す。なお、本発明に係る取り付け装置３６に適用することができる防塵ネットは、図４に示すものに限定されない。すなわち、後述する案内ガイド（３６Ａ等）を用いて脱着することができるネットであれば、いずれのネットにも本発明を適用することができる。
【００４３】
本実施形態に係る建設機械は、ラジエータユニット３１の冷却風の流れ方向に対して上流側（図中の矢印Ｘ１方向側）に防塵ネット３５を設け、ラジエータユニット３１に塵埃が付着するのを防止する。また、本実施形態に係る建設機械は、防塵ネット３５を熱交換装置３０から脱着可能に取り付けることによって、塵埃付着時に防塵ネット３５を取り外して、付着した塵埃を除去（クリーニング）することができる。
【００４４】
具体的には、防塵ネット３５は、図４に示すように、収納空間部３７Ａ（図２）の延在方向（矢印Ｙ１，Ｙ２方向）に対応して、複数に分割された分割防塵ネット３５Ａ、３５Ｂ及び３５Ｃで構成される。なお、図では防塵ネット３５を３個に分割した例を示しているが、防塵ネット３５の分割数（分割の幅）はこれに限定されるものではなく、適宜選定することができる。分割数は、例えば着脱空間部３７Ｂの高さＷ１（図３）に対応する分割数（分割の幅）とすることができる。
【００４５】
分割防塵ネット３５Ａ（請求項に記載の「第２の防塵ネット」に相当する。）は、本実施形態では、分割防塵ネット３５Ｂ，３５Ｃ（請求項に記載の「第１の防塵ネット」に相当する。）と分離されている。分割防塵ネット３５Ｂと分割防塵ネット３５Ｃとは、継手３９によって接続されている。ここで、継手３９は、例えば蝶番であり、分割防塵ネット３５Ｂと分割防塵ネット３５Ｃとを互いに変位可能（折り畳み可能）に接続する。
【００４６】
分割防塵ネット３５Ａは、着脱空間部３７Ｂから挿入され、収納空間部３７Ａの上部に収納される（例えば図８（ａ））。すなわち、分割防塵ネット３５Ａは、ラジエータユニット３１と燃料クーラ３３との間に取り付けられる。具体的には、分割防塵ネット３５Ａは、取り付け時に、両側の側縁部をラジエータユニット３１に設けられたガイド（後述する第２の案内ガイド３６Ｂ）によって、挿入する方向に案内される。また、案内された分割防塵ネット３５Ａは、その上縁部４４をラジエータユニット３１の上部に設けられたガイド（後述する第５の案内ガイド３６Ｅ）と接触して、停止する。なお、分割防塵ネット３５Ａは、例えば下縁部４５の両側を固定具（不図示）等でラジエータユニット３１に更に固定してもよい。
【００４７】
分割防塵ネット３５Ｂ，３５Ｃは、着脱空間部３７Ｂから挿入され、収納空間部３７Ａの下部に収納される（例えば図８（ｂ））。すなわち、分割防塵ネット３５Ｂ，３５Ｃは、ラジエータユニット３１とインタークーラ３２との間に配置される。具体的には、分割防塵ネット３５Ｂ，３５Ｃは、取り付け時に、両側の側縁部をラジエータユニット３１に設けられたガイド（後述する第１の案内ガイド３６Ａ）によって、挿入する方向に案内される。また、案内された分割防塵ネット３５Ｃは、その下縁部４６をラジエータユニット３１の下部に設けられたガイド（後述する第３の案内ガイド３６Ｃ）と接触して、停止する。なお、分割防塵ネット３５Ｂ，３５Ｃは、例えば上縁部４７の両側を固定具（不図示）等でラジエータユニット３１に更に固定してもよい。
【００４８】
（３．防塵ネットの取り付け装置）
図５乃至図７（及び図２、図３）を用いて、本発明の一実施形態に係る取り付け装置３６を説明する。ここで、図５は、本実施形態に係る取り付け装置３６の第１の案内ガイド３６Ａを示す。図６（ａ）は、取り付け装置３６の第３の案内ガイド３６Ｃを示す。図６（ｂ）は、取り付け装置３６の第５の案内ガイド３６Ｅを示す。図７（ａ）は、取り付け装置３６の第４の案内ガイドＤの斜視図を示す。図７（ｂ）は、第４の案内ガイドＤの正面図を示す。図７（ｃ）は、第４の案内ガイド３６Ｄの側面図を示す。
【００４９】
取り付け装置３６は、図２及び図３に示すように、分割防塵ネット３５Ｂ，３５Ｃ（第１の防塵ネット）を挿入する方向に案内する第１の案内ガイド３６Ａと、分割防塵ネット３５Ａ（第２の防塵ネット）を挿入する方向に案内する第２の案内ガイド３６Ｂとを備える。また、取り付け装置３６は、第１の案内ガイド３６Ａの下方に配置された第３の案内ガイド３６Ｃと、第２の案内ガイド３６Ｂの上方に配置された第５の案内ガイド３６Ｅとを備えることができる。更に、取り付け装置３６は、インタークーラ３２（第２冷却器）と燃料クーラ３３（第３冷却器）との間隙に配置された第４の案内ガイド３６Ｄを更に備えてもよい。
【００５０】
ここで、第１の案内ガイド３６Ａ及び第２の案内ガイド３６Ｂは、防塵ネット３５（３５Ａ、３５Ｂ及び３５Ｃ）の両側縁部に対応して夫々配置される。すなわち、第１の案内ガイド３６Ａ等は、防塵ネット３５の両側縁部に対応して、１対の案内ガイドを夫々構成する。なお、以後の説明では、第１の案内ガイド３６Ａ等の１対の案内ガイドにおいて、一の案内ガイドを説明し、一の案内ガイドと対照となる他の案内ガイドの説明を省略する。また、第３の案内ガイド３６Ｃ及び第５の案内ガイド３６Ｅは、本実施形態では、防塵ネット３５（３５Ａ、３５Ｂ及び３５Ｃ）の下縁部４６及び上縁部４４に対向して配置される。
【００５１】
第１の案内ガイド３６Ａは、図５に示すように、防塵ネット３５（３５Ｂ、３５Ｃ）を案内するガイド部３６Ａｇと第１の案内ガイド３６Ａを固定する固定部３６Ａｓとを有する。第１の案内ガイド３６Ａ（ガイド部３６Ａｇ）は、分割防塵ネット３５Ｂ，３５ＣのＹ１方向及びＹ２方向（図３）の位置決めをする。また、第１の案内ガイド３６Ａは、その上部に羽部３６Ａｔ、３６Ａｕを更に有することができる。羽部３６Ａｔ、３６Ａｕは、ガイド部３６Ａｇが形成した空間に分割防塵ネット３５Ｂ，３５Ｃを挿入する方向に案内する。
【００５２】
第１の案内ガイド３６Ａは、ラジエータユニット３１（第１冷却器）とインタークーラ３２との間（図２の収納空間部３７Ａの下部）に配置される。また、第１の案内ガイド３６Ａは、ラジエータユニット３１に固定部３６Ａｓを固定される。なお、第１の案内ガイド３６Ａは、インタークーラ３２に固定部３６Ａｓを固定されてもよい。
【００５３】
第１の案内ガイド３６Ａは、図２及び図３に示すように、ラジエータユニット３１（第１冷却器）に固定部３６Ａｓを取り付けた場合に、ガイド部３６Ａｇ（第１の案内ガイド３６Ａ）とラジエータユニット３１との間隙に、分割防塵ネット３５Ｂ，３５Ｃ（第１の防塵ネット）を挿入する方向に延びる空間を形成する。なお、第１の案内ガイド３６Ａは、インタークーラ３２（第２冷却器）に固定部３６Ａｓを取り付けた場合に、ガイド部３６Ａｇ（第１の案内ガイド３６Ａ）とインタークーラ３２との間隙に分割防塵ネット３５Ｂ，３５Ｃ（第１の防塵ネット）を挿入する方向に延びる空間を形成する。
【００５４】
第２の案内ガイド３６Ｂは、第１の案内ガイド３６Ａに対して、取り付け位置がラジエータユニット３１と燃料クーラ３３との間（図２の収納空間部３７Ａの上部）であること及びその長手方向の長さが異なることで相違する。第２の案内ガイド３６Ｂは、その他の部分は第１の案内ガイド３６Ａと同様のため、説明を省略する。なお、第２の案内ガイド３６Ｂは、ラジエータユニット３１（第１冷却器）又は燃料クーラ３３（第３冷却器）に取り付けられ、ラジエータユニット３１又は燃料クーラ３３との間隙に分割防塵ネット３５Ａ（第２の防塵ネット）を挿入する方向に延びる空間を形成する。また、第２の案内ガイド３６Ｂは、分割防塵ネット３５ＡのＹ１方向及びＹ２方向（図３）の位置決めをする。
【００５５】
第３の案内ガイド３６Ｃは、図６（ａ）に示すように、防塵ネット３５の移動を制限するガイド部３６Ｃｇ及び羽部３６Ｃｔと、第３の案内ガイド３６Ｃを固定する固定部３６Ｃｓとを有する。第３の案内ガイド３６Ｃは、固定部３６Ｃｓを用いて、ラジエータユニット３１（第１冷却器）とインタークーラ３２との間（図２の収納空間部３７Ａの下部）で第１の案内ガイド３６Ａの下方に固定される。
【００５６】
第３の案内ガイド３６Ｃは、図２及び図３に示すように、ガイド部３６Ｃｇを用いて、分割防塵ネット３５Ｂ，３５Ｃ（第１の防塵ネット）の取り付け時に、分割防塵ネット３５Ｂ，３５Ｃが挿入方向（図中のＺ２方向）に移動することを制限する。すなわち、第３の案内ガイド３６Ｃは、分割防塵ネット３５Ｂ，３５ＣのＺ２方向の位置決めをする。また、第３の案内ガイド３６Ｃは、図２及び図３に示すように、羽部３６Ｃｔを用いて、分割防塵ネット３５Ｂ，３５Ｃ（第１の防塵ネット）の取り付け時に、分割防塵ネット３５Ｂ，３５Ｃがインタークーラ３２側（図中のＸ１方向）にずれて、分割防塵ネット３５Ｂ，３５Ｃがインタークーラ３２に接触しないように案内する。
【００５７】
第４の案内ガイド３６Ｄは、図７（ａ）乃至図７（ｃ）に示すように、防塵ネット３５（３５Ｂ、３５Ｃ）を案内するガイド部３６Ｄｇと第４の案内ガイド３６Ｄを固定する固定部３６Ｄｓとを有する。第４の案内ガイド３６Ｄは、固定部３６Ｄｓを用いて、インタークーラ３２と燃料クーラ３３との間（図２の着脱空間部３７Ｂ）に配置（固定）される。
【００５８】
第４の案内ガイド３６Ｄは、図２及び図３に示すように、ガイド部３６Ｄｇを用いて、分割防塵ネット３５Ｂ，３５Ｃ（第１の防塵ネット）の取り付け時に、分割防塵ネット３５Ｂ，３５Ｃを第１の案内ガイド３６Ａのガイド部３６Ａｇが形成した空間に挿入する方向（例えば羽部３６Ａｔ、３６Ａｕの方向）に案内する。
【００５９】
第５の案内ガイド３６Ｅは、図６（ｂ）に示すように、防塵ネット３５の移動を制限するガイド部３６Ｅｇ及び羽部３６Ｅｔと、第５の案内ガイド３６Ｅを固定する固定部３６Ｅｓとを有する。第５の案内ガイド３６Ｅは、固定部３６Ｅｓを用いて、ラジエータユニット３１（第１冷却器）と燃料クーラ３３との間（図２の収納空間部３７Ａの上部）で第２の案内ガイド３６Ｂの上方に固定される。
【００６０】
第５の案内ガイド３６Ｅは、図２及び図３に示すように、ガイド部３６Ｅｇを用いて、分割防塵ネット３５Ａ（第２の防塵ネット）の取り付け時に、分割防塵ネット３５Ａが挿入方向（図中のＺ１方向）に移動することを制限する。すなわち、第５の案内ガイド３６Ｅは、分割防塵ネット３５ＡのＺ１方向の位置決めをする。また、第５の案内ガイド３６Ｅは、図２及び図３に示すように、羽部３６Ｅｔを用いて、分割防塵ネット３５Ａ（第２の防塵ネット）の取り付け時に、分割防塵ネット３５Ａが燃料クーラ３３側（図中のＸ１方向）にずれて、分割防塵ネット３５Ａが燃料クーラ３３に接触しないように案内する。
【００６１】
（４．防塵ネットの脱着動作）
図８を用いて、作業者が熱交換装置３０から防塵ネット３５を脱着する動作を説明する。先ず、取り付け装置３６（熱交換装置３０）から防塵ネット３５を取り外す動作について説明する。
【００６２】
図８（ａ）に示すように、防塵ネット３５を取り付け装置３６から取り外すために、作業者は、先ず、外装カバー１８に設けられているサイドドア１９を開く。このとき、作業者は、サイドドア１９を外装カバー１８に対して横方向に開くことができる。このため、作業者は、建設機械の上部旋回体３（図１）に上ることなく、地上にいる状態で（いわゆるグランドアクセスによって）、防塵ネット３５を取り外す動作を行うことができる。
【００６３】
具体的には、熱交換装置３０（取り付け装置３６）はエンジン室１７内のサイドドア１９と対向する位置に設けられているため、作業者は、先ず、サイドドア１９を開いた状態で、熱交換装置３０と対向した状態となる。
【００６４】
次に、作業者は、例えば防塵ネット３５を固定具等（不図示）で固定している場合に、その固定具等を取り外す。作業者は、先ず収納空間部３７Ａの上部に配置した分割防塵ネット３５Ａを取り外すために、分割防塵ネット３５Ａをラジエータユニット３１に固定している固定具等を外す。なお、防塵ネット３５を取り外す動作は、収納空間部３７Ａの下部に配置した分割防塵ネット３５Ｂ，３５Ｃから先に行ってもよい。
【００６５】
次いで、作業者は、収納空間部３７Ａから分割防塵ネット３５Ａを矢印Ａ（図８（ａ））で示す方向に引き抜く。このとき、作業者は、ラジエータユニット３１の上下方向（Ｚ１，Ｚ２方向）に対する中央近傍の位置である着脱空間部３７Ｂから、収納空間部３７Ａの分割防塵ネット３５Ａを引き抜く。このため、分割防塵ネット３５Ａの引き抜き動作は、下方に向けた引き抜き動作となる。
【００６６】
また、作業者は、第２の案内ガイド３６Ｂのガイド部３６Ｂｇを用いて、ガイド部３６Ｂｇの長手方向に分割防塵ネット３５Ａを移動（スライド）することができる。このため、作業者は、上部旋回体３に上ることなく、且つ、エンジンフード１７ａを取り外すことなく、地上にいる状態（グランドアクセス）で、着脱空間部３７Ｂを介して、収納空間部３７Ａから分割防塵ネット３５Ａを引き抜くことができる。
【００６７】
続いて、作業者は、収納空間部３７Ａの下部に配置した分割防塵ネット３５Ｂ，３５Ｃを取り外す動作を実施する。具体的には、作業者は、分割防塵ネット３５Ｂをラジエータユニット３１に固定具等（不図示）で固定している場合に、分割防塵ネット３５Ｂを固定している固定具等を外す。
【００６８】
次に、作業者は、着脱空間部３７Ｂを介して、分割防塵ネット３５Ｂを矢印Ｂ（図８（ｂ））で示す方向に引き抜く。ここで、着脱空間部３７Ｂはラジエータユニット３１の上端部に比べて低い位置にある。また、分割防塵ネット３５Ｂの引き抜き動作は、作業者が地上にいる状態で、上方に向けた引き抜き動作となる。更に、作業者は、第１の案内ガイド３６Ａのガイド部３６Ａｇを用いて、ガイド部３６Ａｇの長手方向に分割防塵ネット３５Ｂを移動（スライド）することができる。このため、作業者は、地上にいる状態（グランドアクセス）で、着脱空間部３７Ｂを介して、分割防塵ネット３５Ｂ，３５Ｃを引き抜くことができる。
【００６９】
また、分割防塵ネット３５Ｂと分割防塵ネット３５Ｃとは、継手３９によって互いに変位可能に接続されている。このため、作業者は、分割防塵ネット３５Ｂを着脱空間部３７Ｂから引き抜いた後、これを分割防塵ネット３５Ｃに対して手前に折り曲げた状態で更に分割防塵ネット３５Ｃを引き抜くことができる。これにより、作業者は、複数の分割防塵ネットが連結した状態であっても、防塵ネット（分割防塵ネット）を収納空間部３７Ａ及び着脱空間部３７Ｂから確実に引き抜くことが可能となる。また、作業差は、ラジエータユニット３１とインタークーラ３２の離間距離Ｗ３が狭くても、分割防塵ネット３５Ｂ等を収納空間部３７Ａ等から確実に引き抜くことが可能となる。
【００７０】
一方、防塵ネット３５を取り付け装置３６（熱交換装置３０）に装着する動作は、上記の取り外す動作の逆の動作となるため、異なる部分を主に説明する。
【００７１】
作業者は、先ず、着脱空間部３７Ｂを介して、分割防塵ネット３５Ｂを矢印Ｂ（図８（ｂ））の逆の方向に挿入する。ここで、分割防塵ネット３５Ｂの挿入する動作は、作業者が地上にいる状態で、収納空間部３７Ａの下部に分割防塵ネット３５Ｂを挿入する動作である。また、作業者は、第４の案内ガイド３６Ｄのガイド部３６Ｄｇ及び第１の案内ガイド３６Ａの羽部３６Ａｔ、３６Ａｕを用いて、ガイド部３６Ｄｇ及び羽部３６Ａｔ、３６Ａｕの表面に沿って、分割防塵ネット３５Ｂを移動（スライド）することができる。更に、作業者は、第１の案内ガイド３６Ａのガイド部３６Ａｇ及び第３の案内ガイド３６Ｃのガイド部３６Ｃｇを用いて、分割防塵ネット３５Ｂを所定の位置（収納空間部３７Ａの下部）に収納することができる。このため、作業者は、地上にいる状態（グランドアクセス）で、着脱空間部３７Ｂを介して、分割防塵ネット３５Ｂ，３５Ｃを収納空間部３７Ａに収納することができる。また、作業者は、地上にいる状態（グランドアクセス）で、第１の案内ガイド３６Ａを用いて、分割防塵ネット３５Ｂ，３５Ｃを収納空間部３７Ａに固定することができる。
【００７２】
続いて、作業者は、着脱空間部３７Ｂを介して、分割防塵ネット３５Ａを矢印Ａ（図８（ａ））の逆の方向に挿入する。ここで、分割防塵ネット３５Ａの挿入する動作は、作業者が地上にいる状態で、収納空間部３７Ａの上部に分割防塵ネット３５Ａを挿入する動作である。また、作業者は、第２の案内ガイド３６Ｂの羽部３６Ｂｔ、３６Ｂｕを用いて、羽部３６Ｂｔ、３６Ｂｕの表面に沿って、分割防塵ネット３５Ａを移動（スライド）することができる。更に、作業者は、第２の案内ガイド３６Ｂのガイド部３６Ｂｇ及び第５の案内ガイド部３６Ｅのガイド部３６Ｅｇを用いて、分割防塵ネット３５Ａを所定の位置（収納空間部３７Ａの上部）に収納することができる。このため、作業者は、地上にいる状態（グランドアクセス）で、着脱空間部３７Ｂを介して、分割防塵ネット３５Ａを収納空間部３７Ａに収納することができる。また、作業者は、地上にいる状態（グランドアクセス）で、第２の案内ガイド３６Ｂを用いて、分割防塵ネット３５Ａを収納空間部３７Ａに固定することができる。
【００７３】
以上のように、本発明の実施形態に係る建設機械の防塵ネットの取り付け装置３６によれば、作業者は上部旋回体３の上部に上ることなく、更に外装カバー１８の上部に設けられたエンジンフード１７ａを開くことなく、地上にいる状態（グランドアクセス）で防塵ネット３５の着脱を行うことができる。また、本実施形態に係る取り付け装置３６によれば、防塵ネットの着脱作業の時間を短縮することができる。作業者は、防塵ネットの着脱作業時に、例えば防塵ネットの位置決め又は固定に要する時間を短縮することができる。すなわち、作業者は防塵ネット３５の着脱動作を低い位置で行うことができるので、防塵ネット３５の着脱作業を容易かつ安全に行うことができる。
【００７４】
以上、本発明の好ましい実施形態について詳述したが、本発明は上記した特定の実施形
態に限定されるものではなく、特許請求の範囲に記載された本発明の要旨の範囲内におい
て、種々の変形・変更が可能なものである。
【符号の説明】
【００７５】
１  ：  油圧ショベル
２  ：  下部走行体
３  ：  上部旋回体
５  ：  旋回フレーム
１７  ：  エンジン室
１７ａ：  エンジンフード
１８  ：  外装カバー
１９  ：  サイドドア
２０  ：  エンジン
２３  ：  冷却ファン
３０  ：  熱交換装置
３１  ：  ラジエータユニット
３２  ：  インタークーラ
３３  ：  燃料クーラ
３５  ：  防塵ネット
３５Ａ〜３５Ｃ  ：  分割防塵ネット
５５Ａ〜５５Ｃ  ：  分割防塵ネット
３６  ：  取り付け装置（案内ガイド）
３６Ａ〜３６Ｅ  案内ガイド
３７Ａ：  収納空間部
３７Ｂ：  着脱空間部
【図１】
2014084050.tif 000003
【図２】
2014084050.tif 000004
【図３】
2014084050.tif 000005
【図４】
2014084050.tif 000006
【図５】
2014084050.tif 000007
【図６】
2014084050.tif 000008
【図７】
2014084050.tif 000009
【図８】
2014084050.tif 000010